(57)【要約】射出成形により一体に形成され、少なくとも一つのビン等の容器類を保持する開閉可能な収納容器であって、（ａ）ビン等の容器類を保持する保持部１と、（ｂ）開位置と閉位置との間で移動可能とされた蓋部２と、（ｃ）蓋部が閉位置にあるときにビン等の容器類に係合して適所に保持し、かつ蓋部が開位置にあるときにビン等の容器類を係合から解除してビン等の容器類へのアクセスを許容する係合手段５とを備え、係合手段５は、前縁に、ビン等の容器類の一部を把持する少なくとも一つの凹部７を備えている。
2004524227.tif 000002
【特許請求の範囲】
【請求項１】
射出成形により一体に形成され、少なくとも一つのビン等の容器類を保持する開閉可能な収納容器であって、
（ａ）前記ビン等の容器類を保持する保持部と、
（ｂ）開位置と閉位置との間で移動可能とされた蓋部（２）と、
（ｃ）前記蓋部（２）が前記閉位置にあるときに前記ビン等の容器類を係合して適所に保持し、かつ、前記蓋部（２）が前記開位置にあるときに前記ビン等の容器類を係合から解除して該ビン等の容器類へのアクセスを許容する係合手段（５）とを備え、
前記係合手段（５）は、前縁に、前記ビン等の容器類の一部を把持する少なくとも１つの凹部（７）を備えている収納容器。
【請求項２】
複数の前記凹部（７）が、同一及び／又は異なった形状及び／又はサイズを有しており、これにより対応する形状及び／又はサイズの部分を備えた複数のビン等の容器類を把持するよう構成されている請求項１記載の収納容器。
【請求項３】
前記保持部と前記蓋部とを接続するヒンジ部（４）が設けられている請求項１または２記載の収納容器。
【請求項４】
前記係合手段（５）が前記ヒンジ部（４）に取付けられている請求項３記載の収納容器。
【請求項５】
前記蓋部（２）が、内部に少なくとも一つの注射器、管、綿棒、及び濾過材等の他の物品を、前記ビン等の容器類との接触を回避して安全に保管する固定手段（６）を備えている請求項１から４のいずれか一項に記載の収納容器。
【請求項６】
前記ビン等の容器類は、未開封表示シールが随意に貼られた薬ビンまたはアンプルである請求項１から５のいずれか一項に記載の収納容器。
【請求項７】
前記固定手段（６）は、前記他の物品を、前記ビン等の容器類の前記未開風シールに対し近接はするが離間した位置に保管するよう構成配置されている請求項６記載の収納容器。
【請求項８】
前記凹部（７）は、前記薬ビンまたは前記アンプルの胴部または首部のいずれかを把持する請求項６記載の収納容器。
【請求項９】
前記保持部（１）は、内部の区画を少なくとも２つの小区画に分割する少なくとも１の仕切り板を備え、それら小区画の少なくとも１つが、説明書を保持するために設けられている請求項１から８のいずれか一項に記載の収納容器。
【請求項１０】
ポリプロピレンによって形成されている請求項１から９のいずれか一項に記載の収納容器。
【請求項１１】
閉位置にあるときに、前記蓋部（２）によって内部にさらなる貯蔵空間が形成される請求項１から１０のいずれか一項に記載の収納容器。
【請求項１２】
少なくとも一つのビン等の容器類、及び随意に少なくとも一つの注射器、説明書、綿棒、濾過材、及び／又は管を備えた請求項１から１１のいずれか一項に記載の収納容器を備えてなる、人または動物の医療用薬品を搬送するための医療箱。
【請求項１３】
前記ビン等の容器類は、未開封表示シールを随意に貼られた薬ビンまたはアンプルである請求項１２記載の医療箱。
【請求項１４】
本願明細書に記載され、及び／又は、添付の図面に描かれた収納容器又は医療箱。
【発明の詳細な説明】
【技術分野】
【０００１】
本発明は、少なくとも一つのビン等の容器類を保持する収納容器に関し、特に、例えば射出成形技術を用いて構成された一体物として製作される収納容器に関する。
【背景技術】
【０００２】
ビン等の容器類を保持する収納容器は、人または動物の医療の分野で知られており、薬ビン及びアンプルのようなビン等の容器類を、衝撃から保護されるように安全に保持することが求められている。さらに、薬品が入れられた薬ビン及びアンプルはしばしばシール手段を備えており、これらのビン等の容器類が開封された場合に該シールがいじられたことがわかるようになっている。また、それらビン等の容器類が収納容器内の所定の位置にあるときには、それら未開封表示シールが不用意な接触から保護される必要がある。
【発明の開示】
【発明が解決しようとする課題】
【０００３】
従来の収納容器の多くは、ボール紙のような材質を含む材料から成る重なった部分を有しており、組立が不便であり、かつ収納物を保護するだけの十分な強度を有していない。
【０００４】
また、従来の収納容器の多くは、いくつかの差込部が設けられており、このことも収納容器の組立をさらに困難にしているとともに、所定の体積を有するビン等の容器類を保持するために必要な収納容器のサイズが増大する。
【０００５】
区画を多くすることによって、組立によるコストが増大するとともに組立容易性が減少し、かつ完成品としての美的外観も得られない。
【０００６】
いくつかの公報には、収納容器が閉められたときに収納物と係合し、これにより収納物を安全に固定する収納容器について記載されている（特許文献１、特許文献２、特許文献３、特許文献４）。しかしながら、不都合なことに、通常そのような収納容器はある部分での物品同士の接触が避けられない構成とされている。したがって、そのような収納容器では、未開封表示シールが頂部に取付けられた薬ビン及びアンプルのようなビン等の容器類を有効に収納することができない。
【特許文献１】
米国特許第４６９６４０１号明細書
【特許文献２】
米国特許第４１２０３９４号明細書
【特許文献３】
米国特許第４０７１０６５号明細書
【特許文献４】
米国特許第３４９９５２５号明細書
【０００７】
特許文献５には、蓋が閉められたときに内部の物品（例えばタバコのようなもの）を平板で適所に押える収納容器について記載されている。しかし、やはりそのような収納容器は、薬品ビン、特に開封防止シールを効果的に保持して安全に保管するのに適していない。
【特許文献５】
英国特許第３４９９５２５号明細書
【０００８】
本発明は、従来のような接触の問題を解決し、コストの低減化を図りかつ美的外観を有して容易に使用できる製品を提供することを目的とする。
【課題を解決するための手段】
【０００９】
したがって、本発明の第１の態様によれば、射出成形により一体に形成され、少なくとも一つのビン等の容器類を保持する開閉可能な収納容器であって、
（ａ）前記ビン等の容器類を保持する保持部と、
（ｂ）開位置と閉位置との間を移動可能な蓋部と、
（ｃ）前記蓋部が前記閉位置とされたときに前記ビン等の容器類を適所に保持し、前記蓋部が前記開位置とされたときに前記ビン等の容器類から係合を解除してアクセスを許容する係合手段とを備え、該係合手段は、前縁に各ビン等の容器類の一部を把持する少なくとも一つの凹部が形成されて成る収納容器が提供される。
【００１０】
このような一体に形成された収納容器は、射出成形によって容易にかつ安価に製作されるため、組立が困難な複数の部品を組み込むことがない。
【００１１】
この収納容器には、保持部及び蓋部を接続するヒンジ部が設けられていることが好ましい。ヒンジ部が一般に少なくとも保持部に取付けられて回動可能であるため、蓋部が開いた位置と閉じた位置との間を移動することが可能となる。蓋部が閉じた位置にあるとき、蓋部は保持部に少なくとも部分的に係合する。
【００１２】
通常は、係合手段はヒンジ部に取付けられている。したがって、収納容器が開位置にあるとき、ヒンジ部は係合手段を保持部から離間させて回動されるため、係合手段はビン等の容器類と係合しない位置に置かれる。しかしながら、収納容器が閉じられる際には、係合手段は、ビン等の容器類に接する位置に到達するまで、ヒンジ部の保持手段への取付部の回りをヒンジ部とともに回動する。
【００１３】
一実施例では、ビン等の容器類は薬ビンまたはアンプルである。そのようなビン等の容器類は、通常ガラスまたは合成材料によって形成され、かつ、例えば薬品、特に液体あるいは粉末状の薬品を保管できるようになっている。それらビン等の容器類は、概して物理的な衝撃及び外部環境等から保護されるよう、閉じられた収納容器内で安全に保管される。好ましくは、薬ビンまたはアンプルには、未開封表示シールが貼付けられており、それらビン等の容器類がシールされた後に第三者によって開封されようとしたかどうかを利用者が認識できるようになっている。係合手段に形成された凹部は、薬ビンまたはアンプルの首部または胴部を把持することで、収納容器が閉じられたときにそれら薬ビンまたはアンプルを安全に把持できるようになっている。
【００１４】
他の実施例では、蓋部には、例えば注射器、管、綿棒及び濾過材等の別の物品を少なくとも一つ該収納容器内に固定するための固定手段が設けられている。それら別の物品は、医者がビン等の容器類の内部に保管された薬品を管理するために必要である。通常、固定手段は、収納容器が開いているとき使用できるように物品を適当な位置に保持するクリップまたはそれに類したものである。このようにして、クリップは物品を閉じた収納容器の天井部に保管するために、未開封表示シールに接することなく近接して設けることができる。したがって、物品は理想的に保管されるので、物品によってビン等の容器類のシールが影響を受けることがない。
【００１５】
また、別の実施例では、保持部には、少なくとも一つの仕切り板が設けられて少なくとも２つの区画に分割され、それら区画の少なくとも一つが、説明書のような別の物品を保持するようになっている。そのような説明書は、医者あるいは患者に薬の服用量の管理方法及び正確な調剤量に関する重要な知識を提供する。
【００１６】
収納容器はポリプロピレンによって形成されるのが好ましい。この材料は完全に再資源化できるので、生産する上で環境に優しいだけでなく、物理的な衝撃に耐え得る十分な強度を有するため、収納容器の内部に保管されているビン等の容器類の内容物を保護する。また、この材質によるもう一つの利点は、高強度なヒンジ部を有することである。このヒンジ部は、収納容器が使用されるあらゆるところで収納容器の開閉が繰り返しなされても強度的に問題ない。
【００１７】
概して、ビン等の容器類は一定の形状を有しているが、一定の形状である必要性はない。また、ビン等の容器類は一定のサイズを有していることについても同様である。収納容器は射出成形によって形成されているので、収納するビン等の容器類の様々なサイズ及び形状に合わせて容易に製作することができる。異なった薬品がサイズまたは形状の異なったビン等の容器類に入れられて提供されるであろうが、１の収納容器を保管すべきビン等の容器類のサイズ及び形状の組合せに対して順応できるようにすることが可能である。
【００１８】
通常、係合手段の前縁には、１つのビン等の容器類の胴部または首部を把持する少なくとも一つの凹部が設けられている。このようにして、ビン等の容器類は、適当な位置に安全に保持され、搬送中でも相互に衝突しない。仮にビン等の容器類が実質的に円筒形であれば、各凹部は適合する円弧状部分を有して形成されていることでビン等の容器類の首部または胴部に密接に係合することができる。この収納容器が射出成形によって生産されるので、係合手段の個々の凹部のサイズ及び形状、同様に収納容器自身のサイズ及び形状は容易に変更することができる。
【００１９】
さらに別の実施例では、収納容器が閉じられているとき、蓋部によって収納容器内にさらなる貯蔵空間が形成されるようにすることができる。したがって、ビン等の容器類自体は保持部に保持されたままで、上述した注射器等の物品を貯蔵空間に収めることができる。それら物品間の貯蔵位置関係は、必要であればビン等の容器類間の貯蔵位置関係と異なってもよい。
【００２０】
別の態様では、本発明は、人または動物の医療用薬品を搬送する医療箱を提供する。この医療箱は、少なくとも一つのビン等の容器類、及び付加的に、少なくとも一つの注射器、説明書、綿棒、濾過材、及び／又は管を有した上述の収納容器を備えている。
【００２１】
本発明について、次に挙げる図面を伴った実施例を用いて説明する。ただし、本発明はその実施例に限られるものではない。
【発明を実施するための最良の形態】
【００２２】
図１は、薬品を内容物として含む薬ビンまたはアンプルを保持し薬品を管理するために用いられる収納容器を示す図である。収納容器は、保持部１と、蓋部２とを備えており、図１では、これら保持部１と蓋部２とは閉じられて閉位置にある。蓋部２には、利用者が収納容器を指で容易に開けられるように、指掛け凹部３が設けられている。
【００２３】
図２に示すように、蓋部２が開けられる際には、蓋部２はヒンジ部４への取付部回りを回動する。このヒンジ部４には、係合手段５が取付けられている。図３に示すように、蓋部２の回動操作を続けると、ヒンジ部４も保持部１への取付部回りに回動する。したがって、係合手段５は回動して当初の位置から離れる。収納容器が閉じているとき、係合手段５は、保持部に保持されたビン等の容器類（図示せず）を把持することができるが、収納容器が開けられてヒンジ部４が回動すると、最初にビン等の容器類を把持していた位置から離間してビン等の容器類の把持を解除して回動する。その後、ビン等の容器類は利用者によって自由に取出し可能となる。
【００２４】
また、図２及び図３に示すように、蓋部２内の天板には固定手段６が設けられている。固定手段６は、注射器のような他の物品を挟んで蓋部２内の貯蔵空間に置くために使用される。綿棒、濾過材、管等の関連物品を適当な位置に保持できるように他の形態の固定手段６を用いることもできる。
【００２５】
係合手段には、その前縁にビン等の容器類を把持する少なくとも一つの凹部７が設けられている。このような凹部７は、収納容器が閉じられたときビン等の容器類を容易に把持できるように、ビン等の容器類の外形に適合するように形成されている。図３に示すように、凹部７は、異なった形状のビン等の容器類に適合できるようにそれぞれ異なった形状に形成されている。しかしながら、仮に収納容器が同一形状のビン等の容器類を保持するものとして設計される場合、凹部７が同一の形状とされることは当然である。１つの係合手段に対して、必要に応じてそれぞれが異なった形状及びサイズを有した複数の凹部を設けることもできる。
【００２６】
図示された係合手段５は、ヒンジ部４から延出した薄板状に形成されているが、他の形状も考えられる。例えば、収納容器にヒンジ部４自体が不要であった場合、係合手段５は、その代わりとして例えば薄く可撓性を有した領域を介して蓋部２に直接取付けることが可能である。この場合、係合手段は該領域の回りを回動できるものとされる。ヒンジ部４が存在しないときには、保持部と蓋部とが相互に回動できる薄く可撓性を有した領域を介して蓋部が保持部に接続することができる。
【００２７】
また、係合手段５は、実際に薄板状に形成されている必要はなく、収納容器が閉じられたときにビン等の容器類を適当な位置に係合して保持し得る他の構造であってもよい。そのような構造の多くは当業者にとって自明である。
【００２８】
保持部１は、保持部１の内部を小区画に分割する仕切り板８によって分割することもできる。この仕切り板８は、図４Ａでは、２つの区画が示されており、第１の区画１０はビン等の容器類自体を保持し、第２の区画９は説明書のような別の物品を保持するようになっている。説明書は通常該収納容器内に収められているので、ビン等の容器類の中に保管されている薬品を管理する者が正しい手順及び必要な投薬量を認識することができる。
【００２９】
したがって、本発明は、容易にかつ安価に製作され、途中で複雑な組立手順を必要とせず、弾力性があり再資源化可能な材質である単純な構造の収納容器を提供するものである。
【図面の簡単な説明】
【００３０】
【図１】本発明における実施の形態に係る収納容器であって、閉じた状態の斜視図である。
【図２】本発明における実施の形態に係る収納容器であって、半分開いた状態の斜視図である。
【図３】本発明における実施の形態に係る収納容器であって、完全に開いた状態の斜視図である。
【図４】本発明における実施の形態に係る収納容器であって、（Ａ）は完全に開いた状態の平面図、（Ｂ）はその側面図である。
【符号の説明】
【００３１】
１  保持部
２  蓋部
５  係合手段
７  凹部
【国際公開パンフレット】
2004524227.tif 000003
2004524227.tif 000004
2004524227.tif 000005
2004524227.tif 000006
2004524227.tif 000007
2004524227.tif 000008
2004524227.tif 000009
2004524227.tif 000010
2004524227.tif 000011
2004524227.tif 000012
2004524227.tif 000013
2004524227.tif 000014
2004524227.tif 000015
2004524227.tif 000016
2004524227.tif 000017
2004524227.tif 000018
【国際公開パンフレット（コレクトバージョン）】
2004524227.tif 000019
2004524227.tif 000020
【国際調査報告】
2004524227.tif 000021
2004524227.tif 000022
2004524227.tif 000023
2004524227.tif 000024
2004524227.tif 000025